(57)【特許請求の範囲】
【請求項１】
画像を形成する画像形成部と、
商用電源から前記画像形成部に、電源が供給された第１の電源モードと、電源が遮断された第２の電源モードと、のいずれかの電源モードに切り替える電源供給切替部と、
ユーザによって操作されると信号を出力するスイッチと、
前記スイッチからの信号を受信して、当該スイッチに対する操作の有無を保持するスイッチ操作保持部と、
商用電源に接続されて起動された際の電源モードを記憶する記憶部と、
前記スイッチ操作保持部に保持された前記スイッチに対する操作の有無と、前記記憶部に記憶された電源モードと、により、前記第１の電源モードと前記第２の電源モードとのいずれの電源モードで起動するかを制御する制御部と、を備え、
前記制御部は、
前記スイッチに対する操作が有る場合に、前記記憶部に記憶された電源モードと異なる電源モードで起動されるように制御し、
前記スイッチに対する操作が無い場合に、前記記憶部に記憶された電源モードで起動されるように制御する
ことを特徴とする画像形成装置。
【請求項２】
前記電源供給切替部を前記第１の電源モードと前記第２の電源モードとのいずれかの電源モードに保持する保持部をさらに備え、
前記電源供給切替部は、前記制御部に対して、前記第１の電源モードと前記第２の電源モードとのいずれかの電源モードに切り替えることを特徴とする請求項１に記載の画像形成装置。
【請求項３】
商用電源から、接続される負荷に、電源が供給された第１の電源モードと、電源が遮断された第２の電源モードと、のいずれかの電源モードに切り替える電源供給切替部と、
ユーザによって操作されると信号を出力するスイッチと、
前記スイッチからの信号を受信して、当該スイッチに対する操作の有無を保持するスイッチ操作保持部と、
商用電源に接続された際に、起動された電源モードを記憶する記憶部と、
前記スイッチ操作保持部に保持された前記スイッチに対する操作の有無と、前記記憶部に記憶された電源モードと、により、前記第１の電源モードと前記第２の電源モードとのいずれの電源モードで起動するかを制御する制御部と、を備え、
前記制御部は、
前記スイッチに対する操作が有る場合に、前記記憶部に記憶された電源モードと異なる電源モードで起動されるように制御し、
前記スイッチに対する操作が無い場合に、前記記憶部に記憶された電源モードで起動されるように制御する
ことを特徴とする電源装置。
【請求項４】
前記電源供給切替部を前記第１の電源モードと前記第２の電源モードとのいずれかの電源モードに保持する保持部をさらに備え、
前記電源供給切替部は、前記制御部に対して、前記第１の電源モードと前記第２の電源モードとのいずれかの電源モードに切り替えることを特徴とする請求項３に記載の電源装置。
【発明の詳細な説明】
【技術分野】
【０００１】
本発明は、画像形成装置及び電源装置に関する。
【背景技術】
【０００２】
特許文献１には、一次電源から得られる電力を，電力を供給するための供給回路を介して入出力部に供給する供給部と，一次電源からの電力供給が遮断される前の，入出力部への電力供給状態を記憶する記憶部と，一次電源からの電力供給が遮断された状態から電力供給が開始される際，記憶部に記憶されている電力供給状態に従って供給回路を介して入出力部へ電力を供給するか否かを判断する判断部と，判断部が入出力部へ電力を供給すると判断した場合には，供給部に入出力部へ電力を供給させ，判断部が入出力部へ電力を供給しないと判断した場合には，供給部に入出力部へ電力を供給させない制御部とを備える画像処理装置が記載されている。
【先行技術文献】
【特許文献】
【０００３】
【特許文献１】特開２０１４−２４３０２号公報
【発明の概要】
【発明が解決しようとする課題】
【０００４】
商用電源との断続を行なうスイッチを備えず、商用電源にプラグをつなぐことで、電源が供給される画像形成装置などでは、ユーザのスイッチ操作によって、電源の供給状態である電源モードが設定されることがある。このとき、画像形成装置などを制御する制御部（プロセッサ（ＣＰＵ））がスイッチ操作を受け付けるように構成されていると、プロセッサが初期化を実行中は、スイッチ操作を受け付けられない。このため、ユーザがスイッチ操作を行ったにもかかわらず、ユーザが求める電源モードで起動しないことが起こり得る。
本発明は、制御部が初期化を実行中であっても、スイッチ操作が受け付けられる画像形成装置などを提供する。
【課題を解決するための手段】
【０００５】
請求項１に記載の発明は、画像を形成する画像形成部と、商用電源から前記画像形成部に、電源が供給された第１の電源モードと、電源が遮断された第２の電源モードと、のいずれかの電源モードに切り替える電源供給切替部と、ユーザによって操作されると信号を出力するスイッチと、前記スイッチからの信号を受信して、当該スイッチに対する操作の有無を保持するスイッチ操作保持部と、商用電源に接続されて起動された際の電源モードを記憶する記憶部と、前記スイッチ操作保持部に保持された前記スイッチに対する操作の有無と、前記記憶部に記憶された電源モードと、により、前記第１の電源モードと前記第２の電源モードとのいずれの電源モードで起動するかを制御する制御部と、を備え、前記制御部は、前記スイッチに対する操作が有る場合に、前記記憶部に記憶された電源モードと異なる電源モードで起動されるように制御し、前記スイッチに対する操作が無い場合に、前記記憶部に記憶された電源モードで起動されるように制御することを特徴とする画像形成装置である。
請求項２に記載の発明は、前記電源供給切替部を前記第１の電源モードと前記第２の電源モードとのいずれかの電源モードに保持する保持部をさらに備え、前記電源供給切替部は、前記制御部に対して、前記第１の電源モードと前記第２の電源モードとのいずれかの電源モードに切り替えることを特徴とする請求項１に記載の画像形成装置である。
請求項３に記載の発明は、商用電源から、接続される負荷に、電源が供給された第１の電源モードと、電源が遮断された第２の電源モードと、のいずれかの電源モードに切り替える電源供給切替部と、ユーザによって操作されると信号を出力するスイッチと、前記スイッチからの信号を受信して、当該スイッチに対する操作の有無を保持するスイッチ操作保持部と、商用電源に接続された際に、起動された電源モードを記憶する記憶部と、前記スイッチ操作保持部に保持された前記スイッチに対する操作の有無と、前記記憶部に記憶された電源モードと、により、前記第１の電源モードと前記第２の電源モードとのいずれの電源モードで起動するかを制御する制御部と、を備え、前記制御部は、前記スイッチに対する操作が有る場合に、前記記憶部に記憶された電源モードと異なる電源モードで起動されるように制御し、前記スイッチに対する操作が無い場合に、前記記憶部に記憶された電源モードで起動されるように制御することを特徴とする電源装置である。
請求項４に記載の発明は、前記電源供給切替部を前記第１の電源モードと前記第２の電源モードとのいずれかの電源モードに保持する保持部をさらに備え、前記電源供給切替部は、前記制御部に対して、前記第１の電源モードと前記第２の電源モードとのいずれかの電源モードに切り替えることを特徴とする請求項３に記載の電源装置である。
【発明の効果】
【０００６】
請求項１の発明によれば、制御部が初期化を実行中であっても、スイッチ操作が受け付けられる。
請求項２の発明によれば、電源供給切替部を介して制御部に電源を供給しない場合に比べて、消費電力が抑制できる。
請求項３の発明によれば、制御部が初期化を実行中であっても、スイッチ操作が受け付けられる。
請求項４の発明によれば、電源供給切替部を介して制御部に電源を供給しない場合に比べて、消費電力が抑制できる。
【図面の簡単な説明】
【０００７】
【図１】第１の実施の形態における画像形成装置の概要を示す図である。
【図２】画像形成装置の初回起動を説明するフローチャートである。
【図３】スタンバイモードでの起動及びプラグインオフモードでの起動を説明するフローチャートである。（ａ）は、スタンバイモードでの起動、（ｂ）は、プラグインオフモードでの起動である。
【図４】画像形成装置がスタンバイモードからプラグインオフモードへ移行する場合のフローチャートである。
【図５】画像形成装置がプラグインオフモードからスタンバイモードへ移行する場合のフローチャートである。
【図６】第２の実施の形態における画像形成装置の概要を示す図である。
【発明を実施するための形態】
【０００８】
以下、添付図面を参照して、本発明の実施の形態について詳細に説明する。
ここでは、画像形成装置を一例として説明する。
【０００９】
［第１の実施の形態］
（画像形成装置１００）
図１は、第１の実施の形態における画像形成装置１００の概要を示す図である。
この画像形成装置１００は、スキャン機能、プリント機能、コピー機能及びファクシミリ機能を備えた所謂複合機である。
【００１０】
画像形成装置１００は、商用電源に接続され電力を供給する電源部１０、電源部１０から機能部６０などへの電源供給を制御する電源制御部２０、ユーザにより操作されるスイッチ部３０、スイッチ部３０への操作の有無を保持（記憶）するスイッチ操作保持部４０、画像形成装置１００の制御のためにする演算などを実行する演算処理部５０、及び、演算処理部５０により制御されて画像形成などの機能を行う機能部６０を備えている。
なお、電源部１０、電源制御部２０、スイッチ部３０、スイッチ操作保持部４０、演算処理部５０を電源装置と表記することがある。そして、機能部６０は、電源装置の負荷である。
【００１１】
まず、電源部１０などの各部の構成を説明する。
電源部１０は、商用電源から供給された交流を直流に変換する整流回路などから構成されている。出力される直流は、例えば、電圧が５Ｖなどの低圧系及び／又は電圧が２４Ｖなどの高圧系であってもよい。ここでは、５Ｖなどの低圧系として説明する。
【００１２】
電源制御部２０は、電源供給スイッチ２１と保持部の一例としての電源供給スイッチ保持回路２２とを備えている。
電源供給スイッチ２１は、例えば、電界効果型トランジスタ（ＦＥＴ）で構成されている。そして、電源供給スイッチ２１は、電源供給スイッチ保持回路２２が出力する電源供給信号（電源供給スイッチオン／オフ信号）によりオン／オフが制御される。すなわち、電源供給スイッチ２１であるＦＥＴは、電源供給スイッチオン信号が供給されるとオンになり、電源部１０から機能部６０などへ電源を供給し、電源供給スイッチオフ信号が供給されるとオフになり、電源部１０から機能部６０などへの電源を遮断する。
電源供給スイッチ２１は、電源供給切替部の一例である。
【００１３】
電源供給スイッチ保持回路２２は、後述する電源オン信号又は電源オフ信号を受信して、電源供給信号（電源供給スイッチオン／オフ信号）を出力する。なお、電源供給スイッチ保持回路２２は、電源オン信号を受信すると、電源オフ信号を受信するまで、電源供給スイッチオン信号を出力し続ける。電源供給スイッチ保持回路２２は、電源オフ信号を受信すると、電源オン信号を受信するまで、電源供給スイッチオフ信号を出力し続ける。ここで、電源オン信号及び電源オフ信号は、パルス状の信号であってよい。
すなわち、電源供給スイッチ保持回路２２は、電源オン信号と電源オフ信号とが交互に入力されることで、電源供給スイッチオン信号と電源供給スイッチオフ信号とを切り替えて保持する機能、いわゆるラッチ機能を有する。
【００１４】
電源供給スイッチ保持回路２２は、例えば、ラッチ機能を有するＤタイプフリップフロップ回路などで構成されうる。そして、集積回路（ＩＣ）やトランジスタなどで構成されうる。ここでは、電源供給スイッチ保持回路２２は、トランジスタなどの個別の部品で構成されているとする。
【００１５】
ここでは、電源部１０からの電力（電圧、電流）の供給を電源の供給と、電源部１０からの電力（電圧、電流）の供給の停止を電源の遮断と表記することがある。
【００１６】
スイッチ部３０は、スイッチ３１と抵抗Ｒとを備えている。スイッチ３１は、例えば、モーメンタリスイッチなど、ユーザが指でボタンを押し下げている間だけオンになり、ユーザが指をボタンから離すとオフになるスイッチである。モーメンタリスイッチは、ユーザが指で押すとオンに移行し、指を離してもオンが保持され、再度押すとオフに移行するオルタネイトスイッチとは異なるスイッチである。すなわち、スイッチ部３０のスイッチ３１は、操作された状態を保持（記憶）しない。
【００１７】
そして、スイッチ３１は、一方の端子が基準電位（接地（ＧＮＤ））に設定され、他方の端子が抵抗Ｒを介して電源部１０に接続されている。ここでは、基準電位を「Ｌ」、電源部１０の出力電位を「Ｈ」とする。
すると、スイッチ３１が操作されていない（押し下げられていない）状態では、スイッチ部３０の出力（スイッチ信号）が「Ｈ」となる。一方、スイッチ３１が操作された（押し下げられた）状態では、スイッチ部３０の出力（スイッチ信号）が「Ｌ」となる。
なお、後述する信号線における信号、スイッチ操作保持部４０の論理状態などについても、同じ電位として、「Ｈ」、「Ｌ」の用語を用いる。なお、異なる電位であってもよい。
【００１８】
スイッチ操作保持部４０は、後述するように、ユーザによるスイッチ３１の操作の有無を保持（記憶）する。
上述したように、スイッチ３１は、操作された状態を保持（記憶）しない。そこで、スイッチ操作保持部４０は、スイッチ３１が操作された際に出力される「Ｌ」のスイッチ信号を受信して、スイッチ３１の操作が有った（操作された）ことを保持（記憶）する。
【００１９】
なお、スイッチ３１はモーメンタリスイッチであるので、スイッチ信号は、スイッチ３１の操作（押し下げ）状態では「Ｌ」となるが、操作終了（離された）状態では「Ｈ」に戻る。しかし、スイッチ操作保持部４０は、スイッチ３１の操作終了後も、操作が有ったことを保持（記憶）する。
すなわち、スイッチ操作保持部４０は、電源供給スイッチ保持回路２２と同様に、スイッチ３１が操作され、スイッチ信号を受信すると、スイッチ３１の操作が有ったことを保持（記憶）するラッチ機能を有する。
スイッチ操作保持部４０は、電源供給スイッチ保持回路２２と同様に、例えば、ラッチ機能を有するＤタイプフリップフロップ回路などで構成されうる。そして、集積回路（ＩＣ）やトランジスタなどで構成されうる。ここでは、スイッチ操作保持部４０は、トランジスタなどの個別の部品で構成されているとする。
【００２０】
演算処理部５０は、算術演算や論理演算などを実行するプロセッサ５１（以下では、ＣＰＵ５１と表記する。）及び書き換え可能な不揮発性メモリ５２（以下では、ＮＶＭ５２と表記する。）を備える。
ここで、ＣＰＵ５１は、メインＣＰＵであって、画像形成装置１００全体を制御する。
そして、ＣＰＵ５１は、制御部の一例であり、ＮＶＭ５２は、記憶部の一例である。
【００２１】
ＮＶＭ５２は、ＥＥＰＲＯＭ、フラッシュメモリなど、データの書き換えが可能で、電源の供給がなくとも、書き込まれたデータが保持されるものであればよい。ＨＤＤであってもよい。
ＮＶＭ５２は、画像形成装置１００が起動されたときに設定された電源モードを記憶する。なお、電源モードについては後述する。
【００２２】
ＮＶＭ５２は、ＣＰＵ５１に接続されている。後述するように、ＣＰＵ５１は、起動されると、ＮＶＭ５２から前回起動された電源モード（前回起動情報）を読み出すとともに、ＮＶＭ５２に今回起動において設定される電源モードを書き込む（記憶させる）。なお、今回起動において設定される電源モードは、前回起動された電源モードが記憶されている領域に上書きされてもよく、別の領域に書き込まれてもよい。今回起動の際、ＣＰＵ５１が前回起動における電源モードを読み出せればよい。
【００２３】
なお、起動とは、商用電源と接続されていない画像形成装置１００を、商用電源に接続することをいう。例えば、ユーザが画像形成装置１００の電源プラグを商用電源の供給されているコンセントに差し込むとか、商用電源が瞬断や停電などにより供給されていない状態から商用電源の供給が復帰するなどをいう。
【００２４】
機能部６０は、例えば、スキャン機能、プリント機能、コピー機能及びファクシミリ機能を用いた動作に関連する指示を受け付けるとともに、ユーザに対してメッセージを表示するユーザインタフェース（User Interface）部６１（以下では、ＵＩ部６１と表記する。）、紙等の記録媒体に画像を形成する画像形成部６２、紙等の記録媒体に記録された画像を読み取る画像読取部６３、通信回線（不図示）を介して外部に設けられた端末装置（不図示）、ファクシミリ装置（不図示）及びサーバ装置（不図示）との間でデータの送受信を行う送受信部６４などを備えている。なお、機能部６０は、ＵＩ部６１、画像形成部６２、画像読取部６３、送受信部６４の全てを備えていることを要せず、一部を備えていてもよい。
【００２５】
ここでいう機能部６０は、機能を実現する部材を制御する部分をいう。例えば、機能部６０におけるＵＩ部６１は、タッチパネル付の表示画面などを制御する部分をいう。すなわち、タッチパネルから信号を受信して演算処理部５０に信号を送信したり、演算処理部５０から信号（命令）を受信して表示画面に表示するための信号を送信したりする部分をいう。なお、機能部６０が機能を実現する部材を制御する部分以外を含んでいてもよい。
【００２６】
この画像形成装置１００では、画像読取部６３によって制御され画像読取を実現する部材によってスキャン機能が行われ、画像形成部６２によって制御され画像形成を実現する部材によってプリント機能が行われ、送受信部６４によって制御され送受信を実現する部材によって通信機能が行われる。そして、画像読取を実現する部材と画像形成を実現する部材とによってコピー機能が行われ、画像読取を実現する部材と画像形成を実現する部材と送受信を実現する部材とでファクシミリ機能が行われる。
【００２７】
次に、電源部１０などの各部の接続関係を説明する。なお、図１では、電源が供給される経路である電源供給線を、太線で表記している。そして、信号の経路である信号線を矢印付の細線で記載し、一部に信号の名称を付記している。
【００２８】
まず、電源供給線を説明する。
電源部１０は、電源供給線にて、電源制御部２０の電源供給スイッチ２１の入力端子（図１におけるＩｎ）及び電源供給スイッチ保持回路２２、スイッチ操作保持部４０に接続されている。また、電源部１０は、電源供給線にて、スイッチ部３０の抵抗Ｒに接続されている。
【００２９】
画像形成装置１００が商用電源に接続されると、電源制御部２０の電源供給スイッチ２１及び電源供給スイッチ保持回路２２、スイッチ操作保持部４０に電源が供給される。つまり、画像形成装置１００の電源プラグが、商用電源の供給されたコンセントに差し込まれる（接続される）と、電源制御部２０の電源供給スイッチ２１及び電源供給スイッチ保持回路２２、スイッチ操作保持部４０に電源が供給される。
そして、スイッチ部３０の抵抗Ｒの一端が「Ｈ」になるので、スイッチ信号が「Ｈ」になる。
【００３０】
電源制御部２０の電源供給スイッチ２１の出力端子（図１におけるＯｕｔ）は、電源供給線にて、演算処理部５０及び機能部６０に接続されている。つまり、演算処理部５０及び機能部６０は、電源供給スイッチ２１を介して、電源が供給される。
【００３１】
次に、信号線を説明する。
電源制御部２０の電源供給スイッチ２１は、電源供給スイッチオン／オフ信号が送信される信号線にて、電源供給スイッチ保持回路２２に接続されている。電源供給スイッチオン／オフ信号は、電源供給スイッチ２１をオンにする場合に電源供給スイッチオン信号（「Ｈ」）になり、電源供給スイッチ２１をオフにする場合に電源供給スイッチオフ信号（「Ｌ」）となるとする。
【００３２】
スイッチ部３０は、スイッチ信号が送信される信号線にて、スイッチ操作保持部４０及び演算処理部５０のＣＰＵ５１と接続されている。
ユーザによるスイッチ部３０のスイッチ３１の操作が有る（押し下げられる）と「Ｌ」のスイッチ信号が、スイッチ操作保持部４０及び演算処理部５０のＣＰＵ５１に送信される。
【００３３】
スイッチ操作保持部４０は、電源オン信号が送信される信号線にて、電源制御部２０の電源供給スイッチ保持回路２２に接続されている。また、スイッチ操作保持部４０は、スイッチ操作検知信号が送信される信号線にて、演算処理部５０のＣＰＵ５１に接続されている。
なお、スイッチ操作保持部４０は、ユーザによるスイッチ３１の操作が無い場合、すなわちスイッチ信号が「Ｈ」を維持している場合を「Ｌ」の論理状態とする。スイッチ操作保持部４０は、ユーザによるスイッチ３１の操作が有った場合、すなわちスイッチ信号が「Ｌ」から「Ｈ」になった場合に、「Ｌ」から「Ｈ」の論理状態に移行し、「Ｈ」の論理状態に固定（設定）される。
電源オン信号及びスイッチ操作検知信号の「Ｈ」と「Ｌ」との関係は、スイッチ操作保持部４０の論理状態に対応する。
【００３４】
演算処理部５０のＣＰＵ５１は、電源オフ信号が送信される信号線にて、電源制御部２０の電源供給スイッチ保持回路２２に接続されている。電源オフ信号は、電源をオフ（遮断）しない場合は「Ｌ」で、電源をオフ（遮断）する場合は「Ｈ」とする。
そして、演算処理部５０のＣＰＵ５１と機能部６０とは、制御信号が送受信される信号線で接続されている。なお、演算処理部５０から機能部６０に対して、機能部６０を制御する信号（命令）が送信され、機能部６０から演算処理部５０に対して、機能部６０からの応答信号や状態を示す信号（データ）が送信される。これらの信号を制御信号と表記する。
【００３５】
以上説明したように、第１の実施の形態の画像形成装置１００では、演算処理部５０が、電源制御部２０及び機能部６０を制御する。すなわち、画像形成装置１００全体の制御が、演算処理部５０によって行われる。
【００３６】
（画像形成装置１００の動作）
ここでは、画像形成装置１００の動作を、電源の供給を中心に説明する。
まず、画像形成装置１００の電源供給に関するモード（電源モード）について説明する。
画像形成装置１００は、ユーザの指示により画像形成などが実行できるスタンバイモードと、演算処理部５０及び機能部６０への電源が遮断されたプラグインオフモードとを備える。
ここで、スタンバイモードとは、電源制御部２０の電源供給スイッチ２１がオンであって、電源部１０から演算処理部５０及び機能部６０に電源が供給された状態をいう。一方、プラグインオフモードとは、電源制御部２０の電源供給スイッチ２１がオフであって、電源部１０から演算処理部５０及び機能部６０に電源が遮断された状態をいう。
そして、スタンバイモードは、第１の電源モードの一例であり、プラグインオフモードは、第２の電源モードの一例である。
【００３７】
画像形成装置１００は、商用電源との断続を行うスイッチを備えていないため、電源供給スイッチ２１がオフの状態をプラグインオフモードと表記する。なお、図１に示すように、プラグインオフモードでは、電源制御部２０の電源供給スイッチ２１の入力端子（Ｉｎ）及び電源供給スイッチ保持回路２２、スイッチ操作保持部４０には電源が供給されている。
【００３８】
（初回起動）
ここでは、画像形成装置１００がこれまで商用電源に接続されたことがないとし、画像形成装置１００が初めて起動される場合（初回起動）を説明する。これまで起動されたことがないため、演算処理部５０のＮＶＭ５２には、前回起動時の電源モードとして、スタンバイモード及びプラグインオフモードのいずれも記憶されていない。
【００３９】
図２は、画像形成装置１００の初回起動を説明するフローチャートである。
図１を参照しつつ、図２の画像形成装置１００の初回起動のフローチャートを説明する。
画像形成装置１００が商用電源に接続される（ステップ１１。図１ではＳ１１と表記する。以下同様とする。）。ここでは、ユーザにより、画像形成装置１００の電源プラグが商用電源の供給されているコンセントに差し込まれる。
【００４０】
すると、電源部１０から電源制御部２０の電源供給スイッチ２１及び電源供給スイッチ保持回路２２、スイッチ部３０、スイッチ操作保持部４０に電源が供給される（ステップ１２）。このとき、スイッチ操作保持部４０は、「Ｌ」の論理状態となる。しかし、電源供給スイッチ保持回路２２は、ワンショット回路により、スイッチ操作保持部４０からの電源オン信号が「Ｈ」になった場合と同様の状態になる。
なお、演算処理部５０のＣＰＵ５１は、電源が供給されていないため、起動していない。よって、ＣＰＵ５１は、電源供給スイッチ保持回路２２に対して、電源オフ信号を送信しない。
【００４１】
すると、電源制御部２０の電源供給スイッチ保持回路２２は、電源供給スイッチ２１に対して、電源供給スイッチオン信号（「Ｈ」）を出力する（ステップ１３）。
これにより、電源供給スイッチ２１がオンになって、電源部１０から演算処理部５０のＣＰＵ５１及び機能部６０に電源が供給される（ステップ１４）。
【００４２】
演算処理部５０のＣＰＵ５１は、電源の供給が開始されると、予め定められた手順にしたがって初期化を実行する（ステップ１５）。
ここで、ＣＰＵ５１が実行する初期化とは、ＣＰＵ５１に電源供給が開始された際に、ＣＰＵ５１が備えるレジスタ、タイマー、入出力ポートなどを予め定められた初期状態にリセットすることをいう。ＣＰＵ５１は、初期化が実行されている間、外部からの信号を受け付けない。
【００４３】
演算処理部５０のＣＰＵ５１が初期化を実行している間に、ユーザによるスイッチ部３０のスイッチ３１の操作が有る（押し下げられる）と、スイッチ操作保持部４０は、スイッチ３１の操作が有ったことを保持（記憶）して、「Ｌ」から「Ｈ」の論理状態に移行する。なお、ユーザによるスイッチ部３０のスイッチ３１の操作が無い（押し下げられていない）と、スイッチ操作保持部４０は、「Ｌ」の論理状態を維持する。
【００４４】
次に、演算処理部５０のＣＰＵ５１の初期化が終了すると、ＣＰＵ５１は、スイッチ操作保持部４０から、スイッチ３１の操作の有無を示すスイッチ操作検知信号を取得する。
【００４５】
そして、演算処理部５０のＣＰＵ５１は、スイッチ３１の操作が有ったか否か（有無）を判断する（ステップ１６）。
ステップ１６において、肯定（Ｙｅｓ）の判断がされた場合、すなわち、ユーザによるスイッチ３１の操作が有った場合（スイッチ操作保持部４０の論理状態が「Ｈ」でスイッチ操作検知信号が「Ｈ」の場合）には、ＣＰＵ５１は、ＮＶＭ５２から前回起動時の電源モード（前回起動情報）を読み出して、電源モードがプラグインオフモードであったか否かを判断する（ステップ１７）。
なお、ステップ１６で否定（Ｎｏ）の判断がされた場合については後述する。
【００４６】
ステップ１７において、否定（Ｎｏ）の判断がされた場合、すなわち、前回起動時の電源モードがプラグインオフモードでない場合には、プラグインオフモードで起動される（ステップ１８）。
ここでは、これまで起動されたことがないので、前回の起動モードは、スタンバイモードでもプラグインオフモードでもない。よって、プラグインオフモードで起動される。そして、プラグインオフモードになる。
なお、プラグインオフモードでの起動については、後述する。
【００４７】
次に、ステップ１６において、否定（Ｎｏ）の判断がされた場合について説明する。
ステップ１６において、否定（Ｎｏ）の判断がされた場合、すなわち、ユーザによるスイッチ３１の操作が無い場合（スイッチ操作保持部４０が「Ｌ」の論理状態）には、ＣＰＵ５１は、ＮＶＭ５２から前回起動時の電源モード（前回起動情報）を読み出して、前回起動時の電源モードがプラグインオフモードか否かを判断する（ステップ１９）。
【００４８】
ステップ１９において、否定（Ｎｏ）の判断がされた場合、すなわち、前回起動時の電源モードがプラグインオフモードでない場合には、スタンバイモードで起動される（ステップ２０）。
ここでは、これまで起動されたことがないとされているので、前回起動時の電源モードは、スタンバイモードでもプラグインオフモードでもない。よって、スタンバイモードで起動される。そして、スタンバイモードになる。
【００４９】
以上説明したように、画像形成装置１００が、これまで商用電源に接続されたことがない初回起動において、画像形成装置１００を商用電源に接続、つまり、ユーザが画像形成装置１００の電源プラグを商用電源のコンセントに差し込んだ場合において、スイッチ部３０のスイッチ３１の操作が有った場合には、画像形成装置１００はプラグインオフモードで起動される。一方、スイッチ部３０のスイッチ３１の操作が無い場合には、画像形成装置１００はスタンバイモードで起動される。
【００５０】
すなわち、初回起動において、ユーザが画像形成装置１００の電源プラグを商用電源のコンセントに差し込み、スイッチ３１の操作をしない場合（スイッチ３１の操作が無い場合）は、ユーザは、画像形成装置１００を使用する意思があるとして、スタンバイモードで起動される。一方、ユーザが画像形成装置１００の電源プラグを商用電源のコンセントに差し込み、スイッチ３１の操作をした場合（スイッチ３１の操作が有った場合）は、ユーザは、画像形成装置１００を商用電源に接続したが、使用する意思はないとして、プラグインオフモードで起動される。
なお、スイッチ３１の操作に対して、画像形成装置１００が上記とは逆の電源モードで起動されるようにしてもよい。
【００５１】
（再起動）
次に、商用電源の瞬断又は停電により、画像形成装置１００への商用電源が遮断されたのち、商用電源の供給が復帰し、画像形成装置１００が再起動された場合を説明する。画像形成装置１００は起動されたことがあるため、演算処理部５０のＮＶＭ５２には、前回起動時の電源モード（前回起動情報）が記憶されている。
図１を参照しつつ、図２のフローチャートにしたがって説明する。
【００５２】
商用電源の瞬断又は停電からの復帰による再起動の場合であっても、画像形成装置１００が商用電源に接続されることになる（ステップ１１）。
そして、ステップ１２からステップ１５が初回起動の場合と同様に実行される。
【００５３】
演算処理部５０のＣＰＵ５１が初期化を実行している間に、ユーザによるスイッチ３１の操作が有る（押し下げられる）と、スイッチ操作保持部４０は、スイッチ３１の操作が有ったことを保持（記憶）し、「Ｌ」から「Ｈ」の論理状態に移行する。なお、ユーザによるスイッチ部３０のスイッチ３１の操作が無い（押し下げられていない）と、スイッチ操作保持部４０は、「Ｌ」の論理状態を維持する。
【００５４】
次に、演算処理部５０のＣＰＵ５１の初期化が終了すると、ＣＰＵ５１は、スイッチ操作保持部４０から、スイッチ３１の操作の有無を示すスイッチ操作検知信号を取得する。
【００５５】
そして、演算処理部５０のＣＰＵ５１は、スイッチ３１の操作が有ったか否か（有無）を判断する（ステップ１６）。
ステップ１６において、肯定（Ｙｅｓ）の判断がされた場合、すなわち、ユーザによるスイッチ３１の操作が有った場合（スイッチ操作保持部４０の論理状態が「Ｈ」でスイッチ操作検知信号が「Ｈ」の場合）には、ＣＰＵ５１は、ＮＶＭ５２から前回起動時の電源モード（前回起動情報）を読み出して、電源モードがプラグインオフモードであったか否かを判断する（ステップ１７）。
なお、ステップ１６で否定（Ｎｏ）の判断がされた場合については後述する。
【００５６】
ステップ１７において、否定（Ｎｏ）の判断がされた場合、すなわち、前回起動時の電源モードがプラグインオフモードでない場合には、プラグインオフモードで起動される（ステップ１８）。そして、プラグインオフモードになる。
なお、ステップ１７において、肯定（Ｙｅｓ）の判断がされた場合、すなわち、前回起動時の電源モードがプラグインオフモードである場合には、スタンバイモードで起動される（ステップ２０）。そして、スタンバイモードになる。
なお、プラグインオフモードでの起動については、後述する。
【００５７】
以上説明したように、ユーザによるスイッチ操作が有った（押し下げられた）場合には、画像形成装置１００は、前回起動時の電源モードとは逆の電源モードで起動される。つまり、前回起動時の電源モードがスタンバイモードであれば、プラグインオフモードで起動され、前回起動時の電源モードがプラグインオフモードであれば、スタンバイモードで起動される。
これは、ユーザによるスイッチ３１を操作する（押し下げる）という行動が伴う場合には、ユーザは、画像形成装置１００を前回起動時の電源モードとは逆の電源モードに移行させる意思があるとして、逆の電源モードで起動されるようにしている。
【００５８】
次に、ステップ１６において、否定（Ｎｏ）の判断がされた場合について説明する。
ステップ１６において、否定（Ｎｏ）の判断がされた場合、すなわち、ユーザによるスイッチ３１の操作が無い（押し下げられていない）場合（スイッチ操作保持部４０の論理状態が「Ｌ」でスイッチ操作検知信号が「Ｌ」の場合）には、演算処理部５０のＣＰＵ５１は、ＮＶＭ５２から前回起動時の電源モード（前回起動情報）を読み出し、前回起動時の電源モードがプラグインオフモードであったか否かを判断する（ステップ１９）。
【００５９】
ステップ１９において、否定（Ｎｏ）の判断がされた場合、すなわち、前回起動時の電源モードがプラグインオフモードでない場合（スタンバイモードの場合）、スタンバイモードで起動される（ステップ２０）。そして、スタンバイモードになる。
一方、ステップ１９において、肯定（Ｙｅｓ）の判断がされた場合、すなわち、前回起動時の電源モードがプラグインオフモードである場合には、プラグインオフモードで起動される（ステップ１８）。そして、プラグインオフモードになる。
【００６０】
以上説明したように、ユーザによるスイッチ操作が無い（押し下げられていない）場合には、画像形成装置１００は、前回起動時の電源モードと同じ電源モードで起動される。つまり、前回起動時の電源モードがスタンバイモードであれば、スタンバイモードで起動され、前回起動時の電源モードがプラグインオフモードであれば、プラグインオフモードで起動される。
【００６１】
これは、ユーザによるスイッチ３１を操作する（押し下げる）という行動が伴わない場合、つまりユーザがスイッチ３１を操作しない場合には、ユーザは、画像形成装置１００を前回起動時の電源モードと同じ電源モードで起動させる意思があるとして、同じ電源モードで起動されるようにしている。
このことにより、商用電源の瞬断又は停電から復帰した際、ユーザがスイッチ３１を操作しない場合には、画像形成装置１００は、瞬断又は停電の前の電源モードに復帰する。よって、ユーザは、作業を再開しうる。
【００６２】
なお、ユーザが画像形成装置１００の商用電源との接続を断にし、再び接続した場合は、上記の商用電源の瞬断又は停電からの復帰の場合と同様になる。
【００６３】
次に、図２に示したスタンバイモードでの起動とプラグインオフモードでの起動を説明する。
図３は、スタンバイモードでの起動及びプラグインオフモードでの起動を説明するフローチャートである。図３（ａ）は、スタンバイモードでの起動、図３（ｂ）は、プラグインオフモードでの起動である。
【００６４】
図３（ａ）に示すスタンバイモードでの起動では、演算処理部５０において、ＣＰＵ５１は、起動する電源モードとしてスタンバイモードをＮＶＭ５２に記憶させる（ステップ３１）。
そして、電源制御部２０の電源供給スイッチ２１はオンが保持され、電源部１０から、演算処理部５０のＣＰＵ５１及び機能部６０に電源が供給され続ける。
すなわち、スタンバイモードとなる。
【００６５】
一方、図３（ｂ）に示すプラグインオフモードでの起動では、演算処理部５０において、ＣＰＵ５１は、起動する電源モードとしてプラグインオフモードをＮＶＭ５２に記憶させる（ステップ４１）。
次に、演算処理部５０のＣＰＵ５１は、電源制御部２０の電源供給スイッチ保持回路２２に対して、電源オフ信号（「Ｈ」）を送信する（ステップ４２）。
すると、電源制御部２０の電源供給スイッチ保持回路２２は、電源オフ信号（「Ｈ」）を受信すると、電源供給スイッチ２１に対して電源供給スイッチオフ信号（「Ｌ」）を出力する（ステップ４３）。
これにより、電源供給スイッチ２１がオフになり、演算処理部５０のＣＰＵ５１及び機能部６０への電源が遮断される（ステップ４４）。
すなわち、プラグインオフモードになる。
このとき、スイッチ操作保持部４０は、「Ｌ」の論理状態に固定される。
【００６６】
次に、起動されている状態における電源モード間の移行について、説明する。
（スタンバイモードからプラグインオフモードへの移行）
まず、スタンバイモードにある画像形成装置１００をプラグインオフモードへ移行させる場合を説明する。
図４は、画像形成装置１００がスタンバイモードからプラグインオフモードへ移行する場合のフローチャートである。
スタンバイモードでは、図１における演算処理部５０のＣＰＵ５１に電源が供給されている。
ユーザによるスイッチ部３０のスイッチ３１の操作が有る（肯定（Ｙｅｓ）の場合）と、スイッチ信号が「Ｌ」になる（ステップ５１）。なお、否定（Ｎｏ）の場合、スイッチ３１の操作を待ち受ける。
ＣＰＵ５１は、「Ｌ」のスイッチ信号を受信すると、電源供給スイッチ保持回路２２に、電源オフ信号（「Ｈ」）を送信する（ステップ５２）。
そして、電源供給スイッチ保持回路２２は、電源供給スイッチ２１に、電源供給スイッチオフ信号（「Ｌ」）を出力する（ステップ５３）。
これにより、電源供給スイッチ２１がオフになり、電源部１０からのＣＰＵ５１及び機能部６０への電源が遮断される（ステップ５４）。
そして、プラグインオフモードに移行する。
このとき、スイッチ操作保持部４０は、「Ｈ」と「Ｌ」のいずれの論理状態であってもよい。ここでは、ＣＰＵ５１から電源供給スイッチ保持回路２２に送信される電源オフ信号（「Ｈ」）が優先される。そして、プラグインオフモードへの移行に伴って、スイッチ操作保持部４０は、「Ｌ」の論理状態に固定（設定）される。
【００６７】
なお、タイマーを設け、ユーザが画像形成装置１００を使用しない時間が予め定められた時間を経過すると、スタンバイモードからプラグインオフモードに移行するようにしてもよい。
【００６８】
（プラグインオフモードからスタンバイモードへの移行）
次に、プラグインオフモードにある画像形成装置１００をスタンバイモードへ移行させる場合を説明する。
図５は、画像形成装置１００がプラグインオフモードからスタンバイモードへ移行する場合のフローチャートである。
プラグインオフモードでは、図１に示したように、電源部１０から電源制御部２０の電源供給スイッチ２１及び電源供給スイッチ保持回路２２、スイッチ部３０、スイッチ操作保持部４０に電源が供給されている。しかし、演算処理部５０のＣＰＵ５１には、電源が遮断されている。そして、スイッチ操作保持部４０は、「Ｌ」の論理状態である。
ユーザによるスイッチ部３０のスイッチ３１の操作が有る（肯定（Ｙｅｓ）の場合）と、スイッチ信号が「Ｌ」になる（ステップ６１）。なお、否定（Ｎｏ）の場合、スイッチ３１の操作を待ち受ける。
スイッチ操作保持部４０は、「Ｌ」のスイッチ信号を受信すると、「Ｌ」から「Ｈ」の論理状態に移行し、電源制御部２０の電源供給スイッチ保持回路２２に電源オン信号（「Ｈ」）を送信する（ステップ６２）。
【００６９】
そして、電源供給スイッチ保持回路２２は、電源供給スイッチ２１に、電源供給スイッチオン信号（「Ｈ」）を出力する（ステップ６３）。
これにより、電源供給スイッチ２１がオンになり、電源部１０から演算処理部５０のＣＰＵ５１及び機能部６０への電源が供給される（ステップ６４）。
そして、スタンバイモードになる。
【００７０】
以上説明したように、スタンバイモードからプラグインオフモードへの移行、及び、プラグインオフモードからスタンバイモードへの移行は、ユーザによるスイッチ３１の操作で実行される。
なお、プラグインオフモードにおいて、送受信部６４の一部に電源を供給しておき、外部からデータを受信した際に、スタンバイモードに移行するようにしてもよい。
【００７１】
そして、スタンバイモードからプラグインオフモードに移行する際に、スイッチ操作保持部４０の論理状態を「Ｌ」に固定する。これにより、次に起動された際、スイッチ操作保持部４０は、ユーザのスイッチ３１の操作を待ち受ける状態になる。なお、スイッチ操作保持部４０の論理状態の「Ｌ」への固定（設定）は、演算処理部５０のＣＰＵ５１からの信号又は電源制御部２０の電源供給スイッチ保持回路２２からの信号で行うようにすればよい。
【００７２】
第１の実施の形態における画像形成装置１００では、スイッチ操作保持部４０を備えている。そして、スイッチ操作保持部４０は、図１に示すように、電源制御部２０の電源供給スイッチ２１を介さずに、電源部１０から電源が供給されるように構成されている。よって、画像形成装置１００が商用電源に接続されると、スイッチ操作保持部４０は、直ちに動作状態になる。そして、ユーザによるスイッチ３１の操作が有る場合に、ＣＰＵ５１が初期化を実行中であっても、スイッチ３１の操作が有ったことを保持（記憶）する。
このことにより、ＣＰＵ５１は、初期化の終了後、スイッチ操作保持部４０からスイッチ操作検知信号を取得することにより、スイッチ３１の操作の有無を検知する。すなわち、ＣＰＵ５１が初期化を実行中などでビジーであっても、スイッチ３１の操作（スイッチ操作）を受け付けられる。
【００７３】
そして、ＣＰＵ５１は、スイッチ３１の操作の有無と、ＮＶＭ５２に記憶された前回起動時の電源モード（スタンバイモード又はプラグインオフモード）とによって、起動する電源モードを設定する。
すなわち、ＣＰＵ５１が初期化を実行している間にスイッチ３１が操作されても、画像形成装置１００は、ユーザによるスイッチ３１の操作により指定された電源モードで起動される。
【００７４】
これに対して、図１において、画像形成装置１００がスイッチ操作保持部４０を備えず、スイッチ部３０のスイッチ３１からＣＰＵ５１にスイッチ信号が送信されるように構成される場合には、ＣＰＵ５１が初期化を実行している間に、スイッチ３１の操作が有っても、ＣＰＵ５１は、スイッチ３１の操作が有ったことを検知できない。よって、画像形成装置１００は、ユーザによるスイッチ３１の操作により指定した電源モードとは異なる電源モードで起動されることが生じてしまう。
【００７５】
なお、第１の実施の形態では、電源供給スイッチ２１のオン／オフを保持するため、電源供給スイッチ保持回路２２を設け、ＣＰＵ５１が電源供給スイッチ２１から電源を供給されるとした。
しかし、電源供給スイッチ保持回路２２をＣＰＵ５１として構成してもよい。この場合、ＣＰＵ５１は、電源供給スイッチ２１を経由せずに電源部１０から電源が供給されるようにしておけばよい。そして、ＣＰＵ５１により、電源供給スイッチ２１のオン／オフを保持するようにすればよい。この場合、プラグインオフモードにおいても、ＣＰＵ５１には、電源が供給されるため、第１の実施の形態で説明した場合に比べ、電力の消費が多くなる。
【００７６】
以上説明したように、第１の実施の形態では、スイッチ３１にモーメンタリスイッチなど簡易で安価なスイッチを用いて、ユーザの意思に対応した電源モードに設定しうるようにしている。
【００７７】
［第２の実施の形態］
第１の実施の形態では、スイッチ操作保持部４０及び電源供給スイッチ保持回路２２は、トランジスタなどの個別部品で構成されているとした。第２の実施の形態では、これらの回路を一体化された集積回路（ＩＣ）にて構成している。
【００７８】
図６は、第２の実施の形態における画像形成装置１００の概要を示す図である。
ここでは、図１で示した第１の実施の形態における電源制御部２０及びスイッチ操作保持部４０をまとめて電源制御部７０とし、第１の実施形態における電源制御部２０の電源供給スイッチ保持回路２２及びスイッチ操作保持部４０を、プログラマブルロジックデバイスの一種であるＣＰＬＤ（Complex Programmable Logic Device）７１で構成している。
ＣＰＬＤの代わりに、他のプログラマブルロジックデバイスであるＰＡＬ（Programmable Array Logic）、ＦＰＧＡ（Field-Programmable Gate Array）や、ＡＳＩＣ（Application Specific Integrated Circuit）で構成されていてもよい。
【００７９】
他の構成及び動作は、第１の実施の形態と同様であるので、説明を省略する。
【００８０】
第１の実施の形態及び第２の実施の形態では、電源部１０は、電圧が５Ｖなどの低圧系であって、電源制御部２０（電源制御部７０）の電源供給スイッチ２１が低圧系の電源を供給又は遮断（断続）するとして説明したが、低圧系と電圧が２４Ｖなどの高圧系との複数の系統にそれぞれ対応して電源供給スイッチ２１を複数設け、並行して断続するように構成してもよい。
【００８１】
また、第１の実施の形態及び第２の実施の形態では、画像形成装置１００として説明したが、機能部６０が画像形成部６２などの代わりに他の機能部を負荷として備えてもよい。この場合、電源装置の演算処理部５０は、電源制御部２０（電源制御部７０）を制御するとともに、他の機能部を制御するのに用いられるようにしてもよい。
その他、本発明の趣旨に反しない限りにおいて様々な変形を行っても構わない。
【符号の説明】
【００８２】
１０…電源部、２０、７０…電源制御部、２１…電源供給スイッチ、２２…電源供給スイッチ保持回路、３０…スイッチ部、３１…スイッチ、４０…スイッチ操作保持部、５０…演算処理部、５１…プロセッサ（ＣＰＵ）、５２…不揮発性メモリ（ＮＶＭ）、６０…機能部、６１…ユーザインタフェース（ＵＩ）部、６２…画像形成部、６３…画像読取部、６４…送受信部、１００…画像形成装置、Ｒ…抵抗
【図１】
0006488927.tif 000002
【図２】
0006488927.tif 000003
【図３】
0006488927.tif 000004
【図４】
0006488927.tif 000005
【図５】
0006488927.tif 000006
【図６】
0006488927.tif 000007